(57)【要約】【課題】医療用酸素ボンベの残量を検知して表示すると共に、緊急時に警報を発し、且つ、残量検知情報及び医療用酸素ボンベに関する情報を通信によって、特定の外部に送信することができる医療用酸素ボンベ残量監視モニターを提供する。【解決手段】医療用酸素ボンベと連通する配管３が分岐された分岐配管部４と、配管３内の酸素圧を測定して、医療用酸素ボンベの残量を検知する残量検知部５と、情報の処理制御を行なう制御部６と、制御部６からの出力により表示を行なう表示部７と、有線ＬＡＮのインターフェース２２、無線ＬＡＮのインターフェース２３、携帯電話回線のインターフェース２４及びＰＨＳ回線のインターフェース２５のうち少なくとも１つを具備し、情報の送受信を行なう通信部８と、電源を供給する電源部９とを備えた医療用酸素ボンベ残量監視モニター１を提供する。【選択図】図２
0003135122.tif 000002
【実用新案登録請求の範囲】
【請求項１】
医療用酸素ボンベと連通する配管が分岐された分岐配管部と、
前記配管内の酸素圧を測定して、前記医療用酸素ボンベの残量を検知する残量検知部と、
情報の処理制御を行なう制御部と、
前記制御部からの出力により表示を行なう表示部と、
有線ＬＡＮのインターフェース、無線ＬＡＮのインターフェース、携帯電話回線のインターフェース及びＰＨＳ回線のインターフェースのうち少なくとも１つを具備し、情報の送受信を行なう通信部と、
電源を供給する電源部とを備えたことを特徴とする医療用酸素ボンベ残量監視モニター。
【請求項２】
前記制御部からの制御信号により警報を発生するアラーム部を備えたことを特徴とする請求項１記載の医療用酸素ボンベ残量監視モニター。
【請求項３】
前記分岐配管部は、前記医療用酸素ボンベ近傍の配管、又は、前記医療用酸素ボンベから病室まで延設された配管のいずれかに接続されることを特徴とする請求項１又は２に記載の医療用酸素ボンベ残量監視モニター。
【請求項４】
前記制御部は、前記通信部が特定の外部から受信した医療用酸素ボンベ残量検知要求に基づき、前記残量検知部に前記医療用酸素ボンベの残量検知指令信号を出力するように構成されていることを特徴とする請求項１乃至３のうちいずれか一に記載の医療用酸素ボンベ残量監視モニター。
【請求項５】
前記制御部は、前記分岐配管部に連通される医療用酸素ボンベの設置場所、シリアル番号、及び、アラームの有無の情報のうち少なくとも１つの情報を格納する記憶部を具備し、前記残量検知部から残量検知情報を受信した時、前記記憶部の格納情報の少なくとも１つを抽出し、前記通信部に前記残量検知情報と共に、抽出した格納情報を出力するように構成されていることを特徴とする請求項１乃至４のうちいずれか一に記載の医療用酸素ボンベ残量監視モニター。
【請求項６】
ＧＰＳによる位置情報取得部を具備していることを特徴とする請求項１乃至５のうちいずれか一に記載の医療用酸素ボンベ残量監視モニター。
【考案の詳細な説明】
【技術分野】
【０００１】
本考案は、通信機能を備えた医療用酸素（日本薬局方酸素）ボンベの残量監視モニターに関する。
【背景技術】
【０００２】
医療用酸素ボンベは、病院、救急車内、在宅患者宅等に設置され、医療用酸素ボンベの残量減少時に、適宜ボンベの入替作業が実施される。
医療用酸素ボンベの入替作業は、緊急性を伴うものであり、残量が規定値以下になった場合は、直ちに入替作業が必要となり、そのため、残量を常に監視する必要がある。
更に、残量監視をする場合に、残量監視情報と共に、酸素ボンベ情報としての酸素ボンベ識別情報、顧客情報及び酸素の充填年月日情報等の連絡をすることが極めて煩雑であり、間違いが発生する虞もある。
【０００３】
そこで、例えば、特許文献１は、医療用酸素ボンベの効率的かつ適正な供給、ボンベの安全性の向上、及び、ボンベ管理の負担軽減等を図ることができる医療用酸素ボンベの管理システム及び管理方法が記載されている。
具体的には、ネットワークに接続され医療用酸素ボンベに関する実績情報を格納したサーバーが、当該実績情報に基づいてボンベの患者への供給等についての計画情報を生成して営業所へ送信し、営業所は、当該計画情報から指示情報を生成して業者へ送信し、業者は、当該指示情報に基づいて供給を実施すると共に、実施の結果を実績情報として前記サーバーへ送信するものである。
【特許文献１】特開２００２−３４２４３３号公報
【考案の開示】
【考案が解決しようとする課題】
【０００４】
前述したように、医療用酸素ボンベの入替作業は、緊急性を伴うものであり、残量を常に監視する必要があり、更に、残量監視をする場合に、残量監視情報と共に、酸素ボンベ情報としての酸素ボンベ識別情報、顧客情報及び酸素の充填年月日情報等の連絡をする必要があるが、それらが極めて煩雑であり、間違いが発生する虞もある。
尚、特許文献１は、この問題を解決するものではない。
【０００５】
以上の現状に鑑み、本考案の目的は、医療用酸素ボンベの残量を検知して表示すると共に、緊急時に警報を発し、且つ、残量検知情報及び医療用酸素ボンベに関する情報を通信によって、特定の外部に送信することができる医療用酸素ボンベ残量監視モニターを提供することを目的とする。
【課題を解決するための手段】
【０００６】
上記の課題を解決すべく、本考案は以下の構成を提供する。
請求項１に係る考案は、医療用酸素ボンベと連通する配管が分岐された分岐配管部と、
前記配管内の酸素圧を測定して、前記医療用酸素ボンベの残量を検知する残量検知部と、
情報の処理制御を行なう制御部と、
前記制御部からの出力により表示を行なう表示部と、
有線ＬＡＮのインターフェース、無線ＬＡＮのインターフェース、携帯電話回線のインターフェース及びＰＨＳ回線のインターフェースのうち少なくとも１つを具備し、情報の送受信を行なう通信部と、
電源を供給する電源部とを備えたことを特徴とする医療用酸素ボンベ残量監視モニターを提供するものである。
【０００７】
請求項２に係る考案は、前記制御部からの制御信号により警報を発生するアラーム部を備えたことを特徴とする請求項１記載の医療用酸素ボンベ残量監視モニターを提供するものである。
【０００８】
請求項３に係る考案は、前記分岐配管部は、前記医療用酸素ボンベ近傍の配管、又は、前記医療用酸素ボンベから病室まで延設された配管のいずれかに接続されることを特徴とする請求項１又は２に記載の医療用酸素ボンベ残量監視モニターを提供するものである。
【０００９】
請求項４に係る考案は、前記制御部は、前記通信部が特定の外部から受信した医療用酸素ボンベ残量検知要求に基づき、前記残量検知部に前記医療用酸素ボンベの残量検知指令信号を出力するように構成されていることを特徴とする請求項１乃至３のうちいずれか一に記載の医療用酸素ボンベ残量監視モニターを提供するものである。
【００１０】
請求項５に係る考案は、前記制御部は、前記分岐配管部に連通される医療用酸素ボンベの設置場所、シリアル番号、及び、アラームの有無の情報のうち少なくとも１つの情報を格納する記憶部を具備し、前記残量検知部から残量検知情報を受信した時、前記記憶部の格納情報の少なくとも１つを抽出し、前記通信部に前記残量検知情報と共に、抽出した格納情報を出力するように構成されていることを特徴とする請求項１乃至４のうちいずれか一に記載の医療用酸素ボンベ残量監視モニターを提供するものである。
【００１１】
請求項６に係る考案は、ＧＰＳによる位置情報取得部を具備していることを特徴とする請求項１乃至５のうちいずれか一に記載の医療用酸素ボンベ残量監視モニターを提供するものである。
【考案の効果】
【００１２】
本考案の請求項１記載の考案によれば、医療用酸素ボンベの残量を検知して表示すると共に、有線ＬＡＮ、無線ＬＡＮ、携帯電話回線及びＰＨＳ回線のうち少なくとも１つによって、残量検知情報を特定の外部に送信することができる医療用酸素ボンベ残量監視モニターを提供することができる。
【００１３】
請求項２記載の考案によれば、請求項１記載の考案の効果に加え、残量が少なくなった時、警報を発生させることができる。
【００１４】
請求項３記載の考案によれば、請求項１又は２に記載の考案の効果に加え、医療用酸素ボンベの近傍、又は、病室に於いて、医療用酸素ボンベの残量検知を行なうことができる。
【００１５】
請求項４記載の考案によれば、請求項１乃至３のうちいずれか一に記載の考案の効果に加え、特定の外部からの医療用酸素ボンベ残量検知要求に基づき医療用酸素ボンベの残量検知を行なうことができる。
【００１６】
請求項５記載の考案によれば、請求項１乃至４のうちいずれか一に記載の考案の効果に加え、医療用酸素ボンベの残量検知情報と共に、医療用酸素ボンベの設置場所、シリアル番号、及び、アラームの有無の情報等を送信することができる。
【００１７】
請求項６記載の考案によれば、請求項１乃至５のうちいずれか一に記載の考案の効果に加え、ＧＰＳによる位置情報を取得することができ、特定の外部に位置情報を送信することができる。
【考案を実施するための最良の形態】
【００１８】
以下、実施例を示した図面を参照しつつ本考案の実施の形態を説明する。
図１及び図２に於いて、１は、本考案による医療用酸素ボンベ残量監視モニターを示し、医療用酸素ボンベ残量監視モニター１は、医療用酸素ボンベ２と連通する配管３を分岐させて成る分岐配管部４と、配管３内の酸素圧を測定して、医療用酸素ボンベ２の残量を検知する残量検知部５と、装置内の制御を行なう制御部６と、制御部６からの出力によりＬＥＤ表示を行なう表示部７と、通信の入出力を行なう通信部８と、装置内に電源を供給する電源部９とを備えている。
【００１９】
更に、前記医療用酸素ボンベ残量監視モニター１は、制御部６に接続され、制御部６からの出力により警報を発生するアラーム部２１を備えている。
【００２０】
前記通信部８は、有線ＬＡＮのインターフェース２２、無線ＬＡＮのインターフェース２３、携帯電話回線のインターフェース２４及びＰＨＳ回線のインターフェース２５を備えている。
【００２１】
前記分岐配管部４は、医療用酸素ボンベ近傍の配管、又は、医療用酸素ボンベから病室まで延設された配管のいずれかに接続される。
【００２２】
前記制御部６は、通信部８が後述する特定の外部から医療用酸素ボンベ残量検知要求を受信すると、残量検知部５に対し残量検知指令信号を出力して、残量検知を実行させるように構成されている。
又、制御部６は、電源部９の電源がオンの時、常時、又は、一定時間間隔で、残量検知部５に残量検知指令信号を出力して、残量検知させるように構成されている。
そして、制御部６は、残量検知部５から残量検知情報を受信すると、その残量検知情報を表示部７に表示させ、その表示と同頻度、又は、適宜頻度で通信部８にも出力するように構成されている。
【００２３】
更に、前記制御部６は、分岐配管部４に連通される医療用酸素ボンベの設置場所、シリアル番号、及び、アラームの有無の情報等を予め格納する記憶部２６を備え、残量検知情報を通信部８に出力する時、その出力と同頻度、又は、適宜頻度で記憶部２６の格納情報の少なくとも１つを抽出し、その格納情報も通信部８に出力するように構成されている。
尚、記憶部２６には、医療用酸素ボンベの設置場所、シリアル番号、及び、アラームの有無の情報以外の他の情報も格納可能である。又、記憶部２６への情報格納は、例えば、前記医療用酸素ボンベ残量監視モニター１の出荷時、又は、設置時に、適宜方法で行なわれる。
【００２４】
更に又、前記医療用酸素ボンベ残量監視モニター１は、ＧＰＳによる位置情報取得部２７を具備している。
前記制御部６は、前記格納情報を通信部８に出力する時、位置情報取得部２７に位置情報を取得させ、位置情報を通信部８に出力するように構成されている。尚、位置情報取得部２７は、例えば、携帯電話回線のインターフェース２４及びＰＨＳ回線のインターフェース２５に内蔵されても良い。
【００２５】
而して、前記医療用酸素ボンベ残量監視モニター１の電源部９の電源を入れた状態で、通信部８が特定の外部から医療用酸素ボンベ残量検知要求信号を受信すると、制御部６は、受信した医療用酸素ボンベ残量検知要求に基づき、残量検知部５に残量検知指令信号を送り、残量検知させる。残量検知部５は、配管３内の酸素圧を測定して、医療用酸素ボンベ２の残量を検知する。残量の検知は、配管３内の酸素圧の測定値と医療用酸素ボンベ２の容量に基づく算出によって行なわれる。制御部６は、残量検知部５から残量検知情報を受信すると、その残量検知情報を通信部８に出力すると共に、表示部７に出力する。
その時、制御部６は、残量が予め設定した規定値を下回った場合は、アラーム部２１に警報を発生させる。
又、制御部６は、残量検知情報を通信部８に出力する時、記憶部２６の格納情報、即ち、医療用酸素ボンベの設置場所、シリアル番号、及び、アラームの有無の情報等を抽出し、その格納情報も通信部８に出力する。通信部８は受信した情報を特定の外部に送信する。
更に、制御部６は、前記格納情報を通信部８に出力する時、位置情報取得部２７に位置情報を取得させ、取得した位置情報も通信部８に出力する。
【００２６】
又、制御部６は、連続的に、或いは、制御部６に予め設定された時間間隔、又は、タイムスケジュールで、残量検知部５に残量検知指令信号を送り、残量検知させることもできる。残量検知部５は、残量検知指令信号に基づき、配管３内の酸素圧を測定して、医療用酸素ボンベ２の残量を検知する。制御部６は、残量検知部５から残量検知情報を受信すると、その残量検知情報を表示部７に出力すると共に、その出力と同頻度、又は、適宜頻度で通信部８に出力する。又、制御部６は、残量検知情報を通信部８に出力する時、記憶部２６の格納情報、即ち、医療用酸素ボンベの設置場所、シリアル番号、及び、アラームの有無の情報等を抽出し、その格納情報も通信部８に出力する。通信部８は受信した情報を特定の外部に送信する。
更に、制御部６は、前記格納情報を通信部８に出力する時、位置情報取得部２７に位置情報を取得させ、取得した位置情報も通信部８に出力する。
【００２７】
尚、制御部６は、連続的に、或いは、制御部６に予め設定された時間間隔、又は、タイムスケジュールで、残量検知部５に残量検知指令信号を送り、残量検知させている時、通信部８が特定の外部から受信した医療用酸素ボンベ残量検知要求信号に基づき、残量検知部５に残量検知指令信号を送り、残量検知させることもできる。即ち、残量検知部５は、制御部６が発生する残量検知指令信号と、特定の外部から受信した残量検知要求信号とのいずれの信号でも残量検知を行なうが、スイッチ等の選択的切替により、いずれかの信号のみに基づいて作動させても良い。
【００２８】
通信部８は情報を受信する特定の外部の送受信装置に対応させて、有線ＬＡＮのインターフェース２２、無線ＬＡＮのインターフェース２３、携帯電話回線のインターフェース２４及びＰＨＳ回線のインターフェース２５のいずれかを介して送信する。
【００２９】
前述した通信部８と送受信する特定の外部は、例えば、医療用酸素ボンベ２の一括管理や一括監視を行い、医療用酸素ボンベ２の入替作業を指示する医療用酸素ボンベ中央管理センター（図３の４７参照）のセンターサーバー（図３の４３参照）である。
【００３０】
これによって、医療用酸素ボンベ中央管理センターでは、各所に設置した医療用酸素ボンベの残量監視が一括して行なえ、ボンベの入替作業の指示も遅滞なく一括して行なえる。
尚、前記医療用酸素ボンベ残量監視モニター１に位置情報取得部２７を取り付けたが、特に、必要としない場合は位置情報取得部２７を備えなくても良い。
【００３１】
図３は、前記医療用酸素ボンベ残量監視モニター１を用いた具体的な医療用酸素ボンベ管理通信システム４１の一例を示している。
医療用酸素ボンベ管理通信システム４１は、医療用酸素ボンベ２の残量を検知すると共に、携帯電話通信網４２に接続自在の医療用酸素ボンベ残量モニター１と、医療用酸素ボンベ残量モニター１と携帯電話通信網４２を介して通信自在に接続されたセンターサーバー４３と、センターサーバー４３と通信自在に接続され、センターサーバー４３の情報を管理する管理端末４４とを備えている。
【００３２】
前記センターサーバー４３は、機密性及び通信品質に優れたＩＰ−ＶＡＮ（Internet Protocol-Virtual Private
Network）４５及び携帯電話通信網４２を介して、医療用酸素ボンベ残量モニター１と接続されている。又、医療用酸素ボンベ２の管理情報を格納するトレーサビリティデータベース４６を備え、セキュリティが強固な医療用酸素ボンベ中央管理センター４７に設置される。トレーサビリティデータベース４６には、地図データも格納される。
更に、前記センターサーバー４３は、専用線４８を介して管理端末４４に接続される。
尚、図に於いて、４９は携帯電話基地局、５０は携帯電話、５１は携帯電話５０がアクセス自在の携帯サイト、５２はインターネットである。
【００３３】
次に、前記医療用酸素ボンベ管理通信システム４１の処理の流れを説明する。
医療用酸素ボンベ２は、対象の病院、救急車内、在宅患者宅等に設置される前に、管理端末４４に於いて、登録情報が作成される。
その登録情報は管理端末４４からセンターサーバー４３にアップロードされ、センターサーバー４３はアップロードされた登録情報を受信すると、トレーサビリティデータベース４６に登録する。
【００３４】
又、センターサーバー４３は、医療用酸素ボンベ２の残量を検知するためのスケジュールが予め作成され、作成されたスケジュールをトレーサビリティデータベース４６に登録して管理し、登録されたスケジュールに基づき、医療用酸素ボンベ残量モニター１に対し医療用酸素ボンベ２の残量を検知するための医療用酸素ボンベ残量検知要求信号を送信する。尚、この場合の医療用酸素ボンベ残量モニター１は、医療用酸素ボンベ２近傍の配管、又は、医療用酸素ボンベ２から患者のいる病室まで延設された配管のいずれに接続されたものであっても良い。
【００３５】
医療用酸素ボンベ残量モニター１は、センターサーバー４３から医療用酸素ボンベ残量検知要求信号を受信すると、受信した医療用酸素ボンベ残量検知要求信号に基づき、医療用酸素ボンベ２の残量を検知する。
更に、医療用酸素ボンベ残量モニター１は、記憶部（図２に於いて２６参照）から、医療用酸素ボンベの設置場所、シリアル番号、及び、アラームの有無の情報等を抽出し、位置情報取得部（図２に於いて２７参照）によってＧＰＳによる位置情報を取得する。
そして、残量検知した情報、抽出情報及び位置情報をセンターサーバー４３に送信する。
【００３６】
センターサーバー４３は、医療用酸素ボンベ残量モニター１から残量検知情報、抽出情報及び位置情報を受信すると、受信した情報に基づき、トレーサビリティデータベース４６の情報を更新する。
更新された情報は、センターサーバー４３のトレーサビリティデータベース４６が格納する地図データと共に、管理端末４４に送信され、管理端末４４は更新情報を受信すると、その情報を表示部４４ａの表示画面４４ｂに表示する。
表示画面４４ｂには、更新情報と、医療用酸素ボンベ残量モニター１、又は、医療用酸素ボンベ２の設置場所が地図４４ｃ上に表示される。
これにより、医療用酸素ボンベ２の入替作業、準備作業等を円滑に行なうことができる。
【００３７】
又、前記管理端末４４は、センターサーバー４３に医療用酸素ボンベ２の医療用酸素ボンベの残量検知を要求することが可能であり、その医療用酸素ボンベ残量検知要求信号が生成されると、医療用酸素ボンベ残量検知要求信号をセンターサーバー４３に送信する。
【００３８】
センターサーバー４３は、管理端末４４から、医療用酸素ボンベ２の医療用酸素ボンベ残量検知要求信号を受信すると、医療用酸素ボンベ残量モニター１に対し医療用酸素ボンベ残量検知要求信号を送信する。
その後の処理の流れは、センターサーバー４３からスケジュールに基づき医療用酸素ボンベ残量検知要求信号を送信した場合と同様である。
【００３９】
又、医療用酸素ボンベ管理通信システム４１は、センターサーバー４３にＷｅｂサーバー手段を備え、Ｗｅｂサーバー手段は、携帯サイト５１にトレーサビリティデータベース４６が格納する情報の一部をＷｅｂページ情報として提供し、許可された特定の携帯電話５０から携帯サイト５１にアクセスしてＷｅｂページ情報を閲覧することができるように構成されている。
【図面の簡単な説明】
【００４０】
【図１】本考案による医療用酸素ボンベ残量監視モニターの斜視図である。
【図２】本考案による医療用酸素ボンベ残量監視モニターの機能説明図である。
【図３】本考案による医療用酸素ボンベ残量監視モニターを用いた医療用酸素ボンベ管理通信システムの説明図である。
【符号の説明】
【００４１】
１  医療用酸素ボンベ残量監視モニター
２  医療用酸素ボンベ
３  配管
４  分岐配管部
５  残量検知部
６  制御部
７  表示部
８  通信部
９  電源部
２１  アラーム部
２２  有線ＬＡＮのインターフェース
２３  無線ＬＡＮのインターフェース
２４  携帯電話回線のインターフェース
２５  ＰＨＳ回線のインターフェース
２６  記憶部
２７  位置情報取得部
【図１】
0003135122.tif 000003
【図２】
0003135122.tif 000004
【図３】
0003135122.tif 000005